(57)【要約】【課題】電流駆動型の発光素子を含み入力された階調電圧に基づいて発光素子に流れる電流を制御する画素複数からなる表示パネル、を備えた表示装置において、欠陥画素において消費される電流を抑制する。【解決手段】表示装置１は、各画素の階調値を画素駆動回路９に出力する映像処理部８と、各画素の階調値に基づいて各画素に階調電圧を入力する画素駆動回路９と、欠陥画素を検出する制御回路１０を備える。ここで、映像処理部８は、映像処理部８に入力された映像対象の画像データ中の欠陥画素の階調値を黒階調値に補正し、欠陥画素の階調値が黒階調値に補正された、映像対象の画像データ中の各階調値を、画素駆動回路９に出力する。【選択図】図１
2015102685.tif 000002
【特許請求の範囲】
【請求項１】
電流駆動型の発光素子を含みかつ入力された階調電圧に基づいて前記発光素子に流れる電流を制御する画素、を複数含む表示パネルと、
各画素の階調値を出力する映像処理回路と、
映像処理回路から出力された各画素の階調値に基づいて、各画素に階調電圧を入力する階調電圧入力回路と、
を備えた表示装置において、
前記複数の画素うちで欠陥のある欠陥画素を検出する欠陥検出回路をさらに備え、
前記映像処理回路は、
前記映像処理回路に入力された映像対象の画像データ中の前記欠陥画素の階調値を補正し、前記欠陥画素の階調値が補正された前記映像対象の画像データ中の各階調値を、前記階調電圧入力回路に出力する補正回路、を含み、
前記補正回路は、
前記欠陥画素の階調値を、黒階調を表す黒階調値に補正すること、
を特徴とする表示装置。
【請求項２】
前記発光素子は、有機ＥＬ素子であり、
前記欠陥画素は、陽極と陰極とが短絡している有機ＥＬ素子を含む画素であること、
を特徴とする請求項１に記載の表示装置。
【請求項３】
前記補正回路は、
前記映像対象の画像データ中の、前記欠陥画素と所定の位置関係を有する関係画素の階調値を前記欠陥画素の階調値に基づいて補正するとともに、前記欠陥画素の階調値を前記黒階調値に補正し、前記欠陥画素及び関係画素の階調値が補正された前記映像対象の画像データ中の各階調値を、前記階調電圧入力回路に出力すること、
を特徴とする請求項１又は２に記載の表示装置。
【請求項４】
前記表示パネルに複数の単位領域が設定され、
前記欠陥検出回路は、
前記単位領域ごとに、該単位領域が欠陥画素を含む欠陥領域であるか否かを判定し、欠陥領域であると判定された単位領域のうちで、欠陥画素を検出すること、
を特徴とする請求項１乃至３のいずれかに記載の表示装置。
【請求項５】
前記映像処理回路は、
各画素の階調値を含む画像データであって、一部の画素の階調値のみ前記黒階調値でない欠陥検出用の画像データを取得し、取得した画像データ中の各階調値を前記階調電圧入力回路に出力する検出用画像出力回路、をさらに含み、
前記表示装置は、
階調値が前記黒階調値でない画素中の発光素子に流れる電流の総量、を測定する電流測定部と、
前記検出用画像出力回路は、
前記単位領域ごとに、該単位領域中の画素の階調値のみ前記黒階調値でない欠陥検出用の画像データを取得し、取得した画像データ中の各階調値を前記階調電圧入力回路に出力し、
前記欠陥検出回路は、
前記単位領域が前記欠陥領域であるか否かを、該単位領域中の画素の階調値のみ前記黒階調値でない欠陥検出用の画像データ中の全階調値が前記階調電圧入力回路に出力された場合における前記電流測定部の測定値に基づいて判定すること、
を特徴とする請求項４に記載の表示装置。
【請求項６】
前記検出用画像出力回路は、
前記欠陥領域中の画素ごとに、該画素の階調値のみ前記黒階調値でない欠陥検出用の画像データを取得し、取得した画像データ中の各階調値を前記階調電圧入力回路に出力し、
前記欠陥検出回路は、
前記欠陥領域中の画素が前記欠陥画素であるか否かを、該画素の階調値のみ前記黒階調値でない欠陥検出用の画像データ中の全階調値が出力された場合における前記電流測定部の測定値に基づいて判定すること、
を特徴とする請求項５に記載の表示装置。
【請求項７】
前記補正回路は、
前記関係画素の階調値を、欠陥画素の階調値と、基準タイミングから経過時間に応じた数値と、に基づいて補正すること、
を特徴とする請求項３乃至６のいずれかに記載の表示装置。
【発明の詳細な説明】
【技術分野】
【０００１】
本発明は、表示装置に関する。
【背景技術】
【０００２】
電流駆動型の発光素子と入力された階調電圧に基づいて発光素子に流れる電流を制御する制御素子とを含む複数の画素からなる表示パネル、を備えた表示装置が知られている。例えば、特許文献１に上記のような表示パネルが記載されている。特許文献１に記載の表示装置では、全画素につきオフセット電圧を導きだし、このオフセット電圧に基づき、各発光素子を所期の輝度で発光させるようにしている。
【先行技術文献】
【特許文献】
【０００３】
【特許文献１】特開２００８−２４１８０３号公報
【発明の概要】
【発明が解決しようとする課題】
【０００４】
ところで、上記のような表示装置では、異物により陽極と陰極とが短絡した発光素子を含む欠陥画素が表示パネルに含まれる場合がある。このような欠陥画素では、発光素子が発光しないにも関わらず、発光素子にて多くの電流が消費されてしまう。
【０００５】
本発明の目的は、電流駆動型の発光素子を含み入力された階調電圧に基づいて発光素子に流れる電流を制御する画素複数からなる表示パネル、を備えた表示装置において、欠陥画素において消費される電流を抑制することである。
【課題を解決するための手段】
【０００６】
上記課題を解決するために、本発明に係る表示装置は、電流駆動型の発光素子を含みかつ入力された階調電圧に基づいて前記発光素子に流れる電流を制御する画素、を複数含む表示パネルと、各画素の階調値を出力する映像処理回路と、映像処理回路から出力された各画素の階調値に基づいて、各画素に階調電圧を入力する階調電圧入力回路と、前記複数の画素うちで欠陥のある欠陥画素を検出する欠陥検出回路と、を備え、前記映像処理回路が、前記映像処理回路に入力された映像対象の画像データ中の前記欠陥画素の階調値を補正し、前記欠陥画素の階調値が補正された前記映像対象の画像データ中の各階調値を、前記階調電圧入力回路に出力する補正回路、を含み、前記補正回路が、前記欠陥画素の階調値を、黒階調を表す黒階調値に補正すること、を特徴としている。
【０００７】
ここで、前記発光素子が、有機ＥＬ素子であり、前記欠陥画素が、陽極と陰極とが短絡している有機ＥＬ素子を含む画素であってもよい。
【０００８】
また、前記補正回路が、前記映像対象の画像データ中の、前記欠陥画素と所定の位置関係を有する関係画素の階調値を前記欠陥画素の階調値に基づいて補正するとともに、前記欠陥画素の階調値を前記黒階調値に補正し、前記欠陥画素及び関係画素の階調値が補正された前記映像対象の画像データ中の各階調値を、前記階調電圧入力回路に出力してもよい。
【０００９】
また、前記表示パネルに複数の単位領域が設定され、前記欠陥検出回路が、前記単位領域ごとに、該単位領域が欠陥画素を含む欠陥領域であるか否かを判定し、欠陥領域であると判定された単位領域のうちで、欠陥画素を検出してもよい。
【００１０】
また、前記映像処理回路が、各画素の階調値を含む画像データであって、一部の画素の階調値のみ前記黒階調値でない欠陥検出用の画像データを取得し、取得した画像データ中の各階調値を前記階調電圧入力回路に出力する検出用画像出力回路、をさらに含み、前記表示装置が、階調値が前記黒階調値でない画素中の発光素子に流れる電流の総量、を測定する電流測定部をさらに備え、前記検出用画像出力回路が、前記単位領域ごとに、該単位領域中の画素の階調値のみ前記黒階調値でない欠陥検出用の画像データを取得し、取得した画像データ中の各階調値を前記階調電圧入力回路に出力し、前記欠陥検出回路が、前記単位領域が前記欠陥領域であるか否かを、該単位領域中の画素の階調値のみ前記黒階調値でない欠陥検出用の画像データ中の全階調値が前記階調電圧入力回路に出力された場合における前記電流測定部の測定値に基づいて判定してもよい。
【００１１】
また、前記検出用画像出力回路が、前記欠陥領域中の画素ごとに、該画素の階調値のみ前記黒階調値でない欠陥検出用の画像データを取得し、取得した画像データ中の各階調値を前記階調電圧入力回路に出力し、前記欠陥検出回路が、前記欠陥領域中の画素が前記欠陥画素であるか否かを、該画素の階調値のみ前記黒階調値でない欠陥検出用の画像データ中の全階調値が出力された場合における前記電流測定部の測定値に基づいて判定してもよい。
【００１２】
また、前記補正回路が、前記関係画素の階調値を、欠陥画素の階調値と、基準タイミングから経過時間に応じた数値と、に基づいて補正してもよい。
【図面の簡単な説明】
【００１３】
【図１】本発明の実施形態に係る表示装置の構成を示す図である。
【図２】画素の構成の一例を示す図である。
【図３】有機ＥＬパネルに設定される単位領域を示す図である。
【図４】第１検出用画像データの表示順序を示す図である。
【図５】第２検出用画像データの表示順序を示す図である。
【図６】階調補正回路に設けられるラインメモリを示す図である。
【図７】階調補正回路が行う処理を示すフロー図である。
【図８】階調値の補正例を示す図である。
【図９】階調値の補正例を示す図である。
【発明を実施するための形態】
【００１４】
以下、本発明の実施形態の例について図面に基づき詳細に説明する。
【００１５】
図１は、本発明の実施形態に係る表示装置１の構成を示す図である。本実施形態の場合、表示装置１は、有機ＥＬディスプレイとして実現され、有機ＥＬパネル２、ドライバ３、画素選択回路４、電源回路５、及び電流計６などを備える。有機ＥＬパネル２は、一般的な有機ＥＬパネルであり、電流駆動型の発光素子である有機ＥＬ素子をそれぞれ含む複数の画素により構成される。画素には、三種類あり、赤色の画素であるＲ画素と、緑色の画素であるＧ画素と、青色の画素であるＢ画素と、がある。各画素には、有機ＥＬ素子を発光させるための電源電圧が、電源回路５より供給される。
【００１６】
画像選択回路４は、有機ＥＬパネル２中の画素を選択する。すなわち、画像選択回路４は、選択する画素に選択信号を入力する。
【００１７】
ドライバ３は、映像処理部８と、画素駆動回路９と、制御回路１０と、メモリ１１と、を備える。映像処理部８には、外部から取得された映像対象の画像データが入力される。映像対象の画像データは各画素の階調値を含む。映像処理部８は、各画素の階調値を画素駆動回路９に出力する。本実施形態の場合、動作モードが通常モードである場合には、映像対象の画像データに基づいて各画素の階調値を画素駆動回路９に出力する。また、動作モードが検出モードである場合には、自ら生成した画像データに基づいて各画素の階調値を画素駆動回路９に出力する。動作モードについては後述する。
【００１８】
画素駆動回路９は、映像処理部８から出力された各画素の階調値に基づいて、各画素に階調電圧を入力する。各画素に入力される階調電圧は、その画素の階調値に対応する電圧を有する。各画素は、入力された階調電圧に基づいて有機ＥＬ素子に流れる電流を制御する。図２は、画素の構成の一例を示す図である。点線内が一つの画素を示す。同図に示すように、画素は、スイッチＳＷと、容量Ｃと、駆動トランジスタＴＲと、有機ＥＬ素子７と、を含む。画素には、階調電圧と、選択信号と、電源電圧と、が入力され、スイッチＳＷは選択信号が画素に入力された場合にオンし、階調電圧を、容量Ｃに蓄積する。駆動トランジスタＴＲは、容量Ｃに蓄積された階調電圧に応じた駆動電流を、有機ＥＬ素子７に供給する。有機ＥＬ素子７の発光輝度は、容量Ｃに蓄積する階調電圧と電源５より供給される電源電圧により決まる。但し、容量Ｃに蓄積された階調電圧が、最低階調を表す黒階調値に対応する階調電圧である場合、有機ＥＬ素子７に駆動電流は流れない。
【００１９】
なお、各有機ＥＬ素子７を流れる駆動電流は、電流計６に入力される。電流計６により、各有機ＥＬ素子７に流れる駆動電流の総量が測定される。電流計６の測定値は電源回路５に入力される。電源回路５は、電源電圧を各画素だけでなく、ドライバ３にも供給する。本実施形態では、電流計６の測定値に応じて電源電圧のレベルやパルス幅が調整されるようになっており、ドライバ３に対しては、電源電圧が、電流計６の測定値を示す測定データとして供給される。
【００２０】
制御回路１０には、測定データや映像対象の画像データが入力される。制御部１０は、現在の動作モードを示す信号やどの画素の階調値を画素駆動回路９に出力すべきかを示す信号を映像処理部８に供給する。また、どの画素にどの階調電圧を入力すべきかを示す信号を画像駆動回路９に供給する。また、選択信号をどの画素にどのタイミングで入力すべきかを示す信号を画素選択回路４に供給する。
【００２１】
また、制御回路１０は、動作モードが検出モードである場合、有機ＥＬ表示パネル２のうちで、欠陥画素を検出する。ここで、欠陥画素とは、異物の混入などが原因で陽極と陰極とが短絡した有機ＥＬ素子７を含む画素である。欠陥画素では、短絡のため有機ＥＬ素子７に流れる駆動電流が大きくなる。しかし、発光層に駆動電流が流れなくなるので、有機ＥＬ素子７は発光しない。欠陥画素の検出方法を簡単に説明すると、まず、制御回路１０は、有機ＥＬパネル２のうちで欠陥画素を含む欠陥領域を絞り込み、絞り込んだ欠陥領域のうちで欠陥画素を検出する。
【００２２】
具体的には、図３に示すように、有機ＥＬパネル２に、単位領域Ａ〜単位領域Ｉの９つの単位領域が設定される。検出用画像生成回路１２が映像処理部８に備えられ、動作モードが検出モードであるとき、第１検出用画像データＡ〜第１検出用画像データＩの９つの第１検出用画像データを順番に生成する。第１検出用画像データは各画素の階調値を含み、検出用画像生成回路１２は、これら第１検出用画像データの一つ一つを、順番に有機ＥＬパネル２に表示させる。すなわち、第１検出用画像データＡから順番に、各画素の階調値を画素駆動部９に出力する。
【００２３】
ここで、第１検出用画像データＡは、単位領域Ａ外の画素の階調値が黒階調値であり且つ単位領域Ａ内の画素の階調値が黒階調値以外の基準値である画像データであり、第１検出用画像データＢは、単位領域Ｂ外の画素の階調値が黒階調値であり且つ単位領域Ａ内の画素の階調値が上記基準値である画像データである。また、第１検出用画像データＣは、単位領域Ｃ外の画素の階調値が黒階調値であり且つ単位領域Ｃ内の画素の階調値が上記基準値である画像データであり、第１検出用画像データＤは、単位領域Ｄ外の画素の階調値が黒階調値であり且つ単位領域Ｄ内の画素の階調値が上記基準値である画像データである。また、第１検出用画像データＥは、単位領域Ｅ外の画素の階調値が黒階調値であり且つ単位領域Ｅ内の画素の階調値が上記基準値である画像データであり、第１検出用画像データＦは、単位領域Ｆ外の画素の階調値が黒階調値であり且つ単位領域Ｆ内の画素の階調値が上記基準値である画像データであり、第１検出用画像データＧは、単位領域Ｇ外の画素の階調値が黒階調値であり且つ単位領域Ｇ内の画素の階調値が上記基準値である画像データである。また、第１検出用画像データＨは、単位領域Ｈ外の画素の階調値が黒階調値であり且つ単位領域Ｈ内の画素の階調値が上記基準値である画像データであり、第１検出用画像データＩは、単位領域Ｉ外の画素の階調値が黒階調値であり且つ単位領域Ｉ内の画素の階調値が上記基準値である画像データである。図４に、第１検出用画像データの表示順序を示した。矢印が、表示順序を示している。
【００２４】
黒階調値に対応する階調電圧が入力された画素では有機ＥＬ素子７に駆動電流が流れないことは上述した。そのため、例えば第１検出用画像データＡが表示されているときの電流計６の測定値は、単位領域Ａ内の有機ＥＬ素子７に流れる駆動電流の総量となる。制御回路１０は、第１検出用画像データが表示されるたびに、測定データが表す測定値が予め定められた第１閾値以上であるか否かを判定する。こうすることにより、制御回路１０は、単位領域ごとに、その単位領域が欠陥画素を含む欠陥領域であるか否かを判定する。例えば、「第１検出用画像データＡが表示されているときに測定値が第１閾値以上であるか否かを判定すること」は、単位領域Ａが欠陥領域であるか否かを判定することを意味する。
【００２５】
こうして、制御回路１０は、欠陥領域である単位領域を絞り込む。
【００２６】
次に、制御回路１０は、欠陥領域であると判定された単位領域のうちで欠陥画素を検出する。すなわち、制御回路１０は、欠陥領域であると判定された単位領域中の画素ごとに、その画素の階調値が上記基準値であり且つその他の画素の階調値が黒階調値である画像データである第２検出用画像データを生成する。また、生成したこれら第２検出用画像データ一つ一つを、順番に有機ＥＬパネル２に表示させる。すなわち、表示順序が最初の第２検出画像データから順番に、各画素の階調値を画素駆動部９に出力する。図５に、単位領域Ａが欠陥領域である場合における、第２検出用画像データの表示順序を示した。矢印が、表示順序を示している。
【００２７】
黒階調値に対応する階調電圧が入力された画素では有機ＥＬ素子７に駆動電流が流れないことは上述した。そのため、例えば表示順序が最初の第２検出用画像データが表示されているときの電流計６の測定値は、単位領域Ａの左上頂点の画素の有機ＥＬ素子７に流れる駆動電流となる（図５参照）。よって、この測定値が比較的大きい場合、単位領域の左上頂点の画素は欠陥画素であると考えられる。そこで、制御回路１０は、第２検出用画像データが表示されるたびに、測定データが表す測定値が予め定められた第２閾値以上であるか否かを判定する。こうすることにより、制御回路１０は、欠陥領域と判定された単位領域中の画素ごとに、その画素が欠陥画素であるか否かを判定する。また、欠陥画素であると判定された画素のアドレスをメモリ１１に記憶する。例えば、「表示順序が最初の第２検出用画像データが表示されているときに測定値が第２閾値以上であるか否かを判定すること」は、単位領域の左上頂点の画素が欠陥画素であるか否かを判定することを意味する。
【００２８】
こうして、制御部１０は、欠陥画素を検出し、欠陥画素のアドレスをメモリ１１に保存する。
【００２９】
このように、表示装置１では、まず欠陥画素を含む単位領域が絞り込まれてから、欠陥画素を含む単位領域のうちで欠陥画素が検出される。そのため、欠陥画素を含む単位領域を絞り込まずに有機ＥＬパネル２中の全画素につき第２検出用画像データを生成して、測定値が第２閾値以上である否かを判定する場合よりも少ない処理で欠陥画素を検出できる。
【００３０】
次に、動作モードが通常モードである場合について説明する。通常モードでは、メモリ１１に記憶される欠陥画素のアドレスが読み出され、読み出されたアドレスが制御部１０により映像処理部８に供給される。通常モードでは、映像処理部８は、映像対象の画像データに基づいて各画素の階調値を画素駆動部９に出力する。こうして、映像処理部８は、映像対象の画像を有機ＥＬパネル２に表示させる。
【００３１】
但し、欠陥画素で無駄に電流が消費されないように、階調補正回路１３が映像処理部８に備えられ、階調補正回路１３が映像対象の画像データに含まれる欠陥画素の階調値を黒階調値に補正するようになっている。そして、階調補正回路１３が、欠陥画素の階調値が黒階調値に補正された映像対象の画像データ中の各階調値を、画素駆動部９に出力するようになっている。
【００３２】
また、欠陥画素では有機ＥＬ素子７が発光しないのだからこれにより輝度低下が生じる。そこで、階調補正回路１３は、欠陥画素と所定の位置関係にある関係画素の階調値を欠陥画素の階調値に基づいて増加させるようにもなっている。ここで、関係画素とは、欠陥画素と同色の画素であって、欠陥画素の上下左右隣りの画素である。そして、欠陥画素の階調値が黒階調値に補正され且つ関係画素の階調値が増加された映像データ中の各階調値を、画像駆動部９に出力するようになっている。こうすることにより、欠陥画素による輝度低下を補償するようになっている。
【００３３】
しかも、階調補正回路１３は、関係画素の階調値を補正するにあたり、関係画素の有機ＥＬ素子７の経年劣化を考慮するようになっている。すなわち、階調補正回路１３は、関係画素の階調値を欠陥画素の階調値だけでなく、表示装置１の製造時からの経過時間Ｔに関する単調増加関数値Ｋ（Ｔ）にも基づいて関係画素の階調値を増加させるようになっている。こうすることにより、欠陥画素による輝度低下をより確実に補償するようになっている。
【００３４】
本実施形態の場合、階調補正回路１３に、図６に示すような３つのラインメモリ１４ａ，１４ｂ、１４ｃが設けられる。それぞれのラインメモリは、一つの画素ラインに対応している。ラインメモリには、対応する画素ライン中の各画素に関する画素情報が格納される。画素情報は、画素のアドレス及び階調値を含む。階調補正回路１３は、所定周期で、ラインメモリ１４ａに格納される画素情報列を読み出し、読み出した画素情報中の階調値を画素駆動回路９に出力する。また、ラインメモリ１４ａ及びラインメモリ１４ｂに格納される画素情報列を、それぞれ、ラインメモリ１４ｂ及びラインメモリ１４ｃに格納される画素情報列で更新するとともに、ラインメモリ１４ｃに格納される画素情報列を、新たな画素ラインの画素情報列で更新する。階調補正回路１３は、ラインメモリ１４ｂに格納される画素情報列がラインメモリ１４ｃに格納される画素情報列で更新される度に、ラインメモリ１４ｂ中の画素情報を左から順番に選択し、選択した画素情報につき図７のフロー図に示す処理を実行する。以下、選択した画素情報を注目画素情報と表記し且つ注目画素情報に対応する画素のことを注目画素と表記して、図７について説明する。
【００３５】
すなわち、階調補正回路１３は、注目画素が欠陥画素であるか否かを判定する（Ｓ１０１）。すなわち、階調補正回路１３は、注目画素情報中のアドレスが、いずれかの欠陥画素のアドレスと同じであるか否かを判定する。注目画素が、欠陥画素である場合（Ｓ１０１のＹ）、階調補正回路１３は、Ｓ１１２のステップに進む。
【００３６】
一方、注目画素が、欠陥画素でない場合（Ｓ１０１のＮ）、階調補正回路１３は、注目画素の右隣の同色の画素が、欠陥画素であるか否かを判定する（Ｓ１０２）。ここでは、画素ラインにおいて同色の画素が２つおきに並んでいるため、階調補正回路１３は、注目画素情報の３つ右の画素情報中のアドレスが、いずれかの欠陥画素のアドレスと同じであるか否かを判定する。注目画素の右隣の同色の画素が欠陥画素である場合（Ｓ１０２のＹ）、注目画素の階調値Ａ（注目画素情報中の階調値）を、注目画素の右隣の同色の画素の階調値Ｂ（注目画素情報の３つ右の画素情報中の階調値）に基づいて更新する（Ｓ１０３）。すなわち、階調補正回路１３は、階調値ＡにＢ／Ｘを加算する。ここで、「Ｘ」は、「４」である。一方、注目画素の右隣の同色の画素が欠陥画素でない場合（Ｓ１０２のＮ）、階調補正回路１３は、階調値Ａを補正せずに、Ｓ１０４に進む。
【００３７】
Ｓ１０４では、階調補正回路１３は、注目画素の左隣の同色の画素が、欠陥画素であるか否かを判定する（Ｓ１０４）。ここでは、階調補正回路１３は、注目画素情報の３つ左の画素情報中のアドレスが、いずれかの欠陥画素のアドレスと同じであるか否かを判定する。注目画素の左隣の同色の画素が欠陥画素である場合（Ｓ１０４のＹ）、注目画素の階調値Ａ（注目画素情報中の階調値）を、注目画素の左隣の同色の画素の階調値Ｂ（注目画素情報の３つ左の画素情報中の階調値）に基づいて更新する（Ｓ１０５）。すなわち、階調補正回路１３は、階調値ＡにＢ／Ｘを加算する。一方、注目画素の左隣の同色の画素が欠陥画素でない場合（Ｓ１０４のＮ）、階調補正回路１３は、階調値Ａを補正せずに、Ｓ１０６に進む。
【００３８】
Ｓ１０６では、階調補正回路１３は、注目画素の下隣の同色の画素が、欠陥画素であるか否かを判定する（Ｓ１０６）。ここでは、階調補正回路１３は、ラインメモリ１４ｃに格納される、注目画素情報の一つ下の画素情報中のアドレスが、いずれかの欠陥画素のアドレスと同じであるか否かを判定する。注目画素の下隣の同色の画素が欠陥画素である場合（Ｓ１０６のＹ）、注目画素の階調値Ａ（注目画素情報中の階調値）を、注目画素の下隣の同色の画素の階調値Ｂ（ラインメモリ１４ｃに格納される、注目画素情報の一つ下の画素情報中の階調値）に基づいて更新する（Ｓ１０７）。すなわち、階調補正回路１３は、階調値ＡにＢ／Ｘを加算する。一方、注目画素の下隣の同色の画素が欠陥画素でない場合（Ｓ１０６のＮ）、階調補正回路１３は、階調値Ａを補正せずに、Ｓ１０８に進む。
【００３９】
Ｓ１０８では、階調補正回路１３は、注目画素の上隣の同色の画素が、欠陥画素であるか否かを判定する（Ｓ１０８）。ここでは、階調補正回路１３は、ラインメモリ１４ａに格納される注目画素情報の一つ上の画素情報中のアドレスが、いずれかの欠陥画素のアドレスと同じであるか否かを判定する。注目画素の上隣の同色の画素が欠陥画素である場合（Ｓ１０８のＹ）、注目画素の階調値Ａ（注目画素情報中の階調値）を、注目画素の上隣の同色の画素の階調値Ｂ（ラインメモリ１４ａに格納される、注目画素情報の一つ上の画素情報中の階調値）に基づいて更新する（Ｓ１０９）。すなわち、階調補正回路１３は、階調値ＡにＢ／Ｘを加算する。一方、注目画素の上隣の同色の画素が欠陥画素でない場合（Ｓ１０８のＮ）、階調補正回路１３は、階調値Ａを補正せずに、Ｓ１１０に進む。
【００４０】
Ｓ１１０では、階調補正回路１３は、注目画素の周辺の同色の画素（すなわち、上下左右隣の同色の画素）のうちに一つでも欠陥画素があるか否かを判定する（Ｓ１１０）。階調補正回路１３は、注目画素の周辺の同色の画素のうちに一つでも欠陥画素がある場合（Ｓ１１０のＹ）、階調補正回路１３は、メモリ１１に記憶される関数値Ｋ（Ｔ）を読み出し、関数値Ｋ（Ｔ）に基づいて、注目画素の階調値Ａ（注目画素情報中の階調値）を補正する（Ｓ１１１）。すなわち、階調補正回路１３は、階調値Ａに関数値Ｋ（Ｔ）を乗算する。一方、注目画素の周辺の同色の画素のうちに欠陥画素が一つもない場合（Ｓ１１０のＮ）、階調補正回路１３は、階調値Ａの補正を行わずに、Ｓ１１２のステップを実行する。上述のように、注目画素が欠陥画素である場合（Ｓ１０１のＹ）も、階調補正回路１３は、Ｓ１１２のステップを実行する。注目画素が欠陥画素である場合（Ｓ１０１のＹ）、階調値Ａの補正はなされないこととなる。
【００４１】
Ｓ１１２では、階調補正回路１３は、注目画素がラインメモリ１４ｂに対応する画素ライン中の最後の画素であるか否かを判定する（Ｓ１１２）。すなわち、階調補正回路１３は、注目画素情報が、ラインメモリ１４ｂの一番右に格納された画素情報であるか否かを判定する。注目画素が最後の画素でない場合（Ｓ１１２のＮ）、注目画素情報の右隣の画素情報が新たな注目画素情報として選択されて、Ｓ１０１以降のステップが再実行される。一方、注目画素が最後の画素である場合（Ｓ１１２のＹ）、階調補正回路１３は、ラインメモリ１４ａに格納される、欠陥画素の階調値を黒階調値「０」に補正する（Ｓ１１３）。すなわち、階調補正回路１３は、ラインメモリ１４ａに格納される画素情報のうち、欠陥画素のアドレスと同じアドレスを含むものを特定し、特定した画素情報中の階調値を黒階調値に補正する。Ｓ１１３のステップにより、欠陥画素の階調値が黒階調値に補正される。
【００４２】
図８は、図７の処理による、階調値の補正例を示す図である。Ｐは、欠陥画素の階調値を示し、Ｑが欠陥画素の上下左右隣の同色の画素の階調値を示し、Ｒは、欠陥画素の斜め隣りの画素の階調値を示す。図７の処理によれば、補正後の欠陥画素の階調値Ｐ’が黒階調値「０」となる。補正後の上下左右隣の同色の画素の階調値Ｑ’が「Ｋ（Ｔ）×（Ｑ＋Ｐ／Ｘ）」となる。すなわち、補正前の欠陥画素の階調値Ｐが均等に分配された上で、関数値Ｋ（Ｔ）が乗算される。
【００４３】
以上のように、表示装置１では、欠陥画素の階調値が黒階調値に補正される。そのため、欠陥画素で無駄に電流が消費されることを抑制できる。
【００４４】
また、欠陥画素の周辺の画素の階調値が、欠陥画素の階調値に基づき補正される。そのため、欠陥画素の有機ＥＬ素子７が発光しないことによる輝度低下を補正することができる。
【００４５】
なお、本発明の実施形態は、上記実施形態だけに限らない。
【００４６】
例えば、階調補正回路１３は、欠陥画素の斜め隣の同色の画素の階調値も、欠陥画素の階調値に基づいて補正してもよい。図９は、この場合における、階調値の補正例を示す図である。Ｒ’が、補正後の斜め隣の同色画素階調値を示す。この場合、補正前の欠陥画素の階調値Ｐが斜め隣の同色の画素にも分配される。そのため、「Ｘ」の値が変わり、上下左右隣の同色の画素への分配量が図８に示す場合より減る。但し、斜め隣の同色の画素に階調値への分配量より上下左右隣の同色の画素の階調値への分配量の方を大きくしている。
【符号の説明】
【００４７】
１  表示装置、２  有機ＥＬパネル、３  ドライバ、４  画素選択回路、５  電源回路、６  電流計、７  有機ＥＬ素子、８  映像処理部、９  画素駆動回路、１０  制御回路、１１  メモリ、１２  検出用画像生成回路、１３  階調補正回路、Ｃ  容量、ＳＷ  スイッチ、ＴＲ  駆動トランジスタ。
【図１】
2015102685.tif 000003
【図２】
2015102685.tif 000004
【図３】
2015102685.tif 000005
【図４】
2015102685.tif 000006
【図５】
2015102685.tif 000007
【図６】
2015102685.tif 000008
【図７】
2015102685.tif 000009
【図８】
2015102685.tif 000010
【図９】
2015102685.tif 000011